(57)【特許請求の範囲】
【請求項１】
被覆の除去によって端末部に露出部を露出させた電線と、
前記露出部に接続される電線接続部を有する端子金具と、
取付対象に取り付けられる取付部を有するとともに、前記電線を保持するブラケットとを備え、
前記被覆、前記露出部、及び前記電線接続部によって囲まれる内側空間が段差空間とされ、前記被覆における前記段差空間に臨む端縁が第１段差とされ、前記電線接続部における前記段差空間に臨む端縁が第２段差とされるものであって、
前記ブラケットは、前記段差空間に嵌り、前記第１段差及び前記第２段差に当接することで、前記取付部が前記電線に対して軸方向に変位するのを規制するストッパを有することを特徴とする電線の端末構造。
【請求項２】
前記ストッパが、前記取付部に着脱可能に連結される請求項１記載の電線の端末構造。
【請求項３】
前記ストッパが、前記電線を挟んで互いに合体される一対の半割体により構成される請求項１又は２記載の電線の端末構造。
【請求項４】
前記ストッパが、前記段差空間に弾性的に嵌る弾性係止片を有する請求項１又は２記載の電線の端末構造。
【請求項５】
前記電線には、この電線の外周面に密着するとともに、前記ブラケットの内周面に密着するゴム栓が嵌着される請求項１ないし４のいずれか１項記載の電線の端末構造。
【請求項６】
前記ブラケットには、このブラケットの外周面に密着するとともに、前記取付対象に開口された取付孔の内周面に密着するシールリングが嵌着される請求項１ないし５のいずれか１項記載の電線の端末構造。
【発明の詳細な説明】
【技術分野】
【０００１】
本発明は、電線の端末構造に関する。
【背景技術】
【０００２】
電線の端末部に端子金具が接続され、端子金具の電線接続部と電線の被覆とを覆うように外装体が樹脂モールドされた、電線の端末構造が知られている（例えば、特許文献１を参照）。端子金具は、機器のケースに開口された取付孔を通してケース内に臨み、ケース内に配置された導体部に接続される。また、外装体の外周面にはブラケットが嵌着され、ブラケットがケースの外面にボルト締めして固定されることにより、電線の端末部がケースに取り付けられるようになっている。
【先行技術文献】
【特許文献】
【０００３】
【特許文献１】特開２００３−２３４１４４号公報
【発明の概要】
【発明が解決しようとする課題】
【０００４】
ところで、上記のようなモールド構造をとるものでは、モールド成形用の専用成形機が必要になるため、設備投資額が高額になるとともに、組立ラインが大規模になるという状況にある。この場合、モールド構造をとらず、より簡易的な手法で済ますことが可能である。しかし、例えば、電線にブラケットを挿通させるだけでは、ケースへの取り付け前に、ブラケットが電線に対して軸方向に変位し、取り扱いに難渋するという問題がある。
【０００５】
本発明は上記のような事情に基づいて完成されたものであって、モールド構造が廃止されても、取り扱い性の良好な、電線の端末構造を提供することを目的とする。
【課題を解決するための手段】
【０００６】
上記の目的を達成するための手段として、請求項１の発明は、被覆の除去によって端末部に露出部を露出させた電線と、前記露出部に接続される電線接続部を有する端子金具と、取付対象に取り付けられる取付部を有するとともに、前記電線を保持するブラケットとを備え、前記被覆、前記露出部、及び前記電線接続部によって囲まれる内側空間が段差空間とされ、前記被覆における前記段差空間に臨む端縁が第１段差とされ、前記電線接続部における前記段差空間に臨む端縁が第２段差とされるものであって、前記ブラケットは、前記段差空間に嵌り、前記第１段差及び前記第２段差に当接することで、前記取付部が前記電線に対して軸方向に変位するのを規制するストッパを有するところに特徴を有する。
【０００７】
請求項２の発明は、請求項１に記載のものにおいて、前記ストッパが、前記取付部に着脱可能に連結されるところに特徴を有する。
【０００８】
請求項３の発明は、請求項１又は２に記載のものにおいて、前記ストッパが、前記電線を挟んで互いに合体される一対の半割体により構成されるところに特徴を有する。
【０００９】
請求項４の発明は、請求項１又は２に記載のものにおいて、前記ストッパが、前記段差空間に弾性的に嵌る弾性係止片を有するところに特徴を有する。
【００１０】
請求項５の発明は、請求項１ないし４のいずれか１項に記載のものにおいて、前記電線には、この電線の外周面に密着するとともに、前記ブラケットの内周面に密着するゴム栓が嵌着されるところに特徴を有する。
【００１１】
請求項６の発明は、請求項１ないし５のいずれか１項に記載のものにおいて、前記ブラケットには、このブラケットの外周面に密着するとともに、前記取付対象に開口された取付孔の内周面に密着するシールリングが嵌着されるところに特徴を有する。
【発明の効果】
【００１２】
＜請求項１の発明＞
ストッパが段差空間に嵌って第１段差及び第２段差に当接することにより、取付部が電線に対して軸方向に変位するのが規制されるため、モールド構造が廃止されても、取り扱い性の良好な、電線の端末構造が提供される。
【００１３】
＜請求項２の発明＞
ストッパが取付部に着脱可能に連結されるから、ストッパの成形の自由度が高められる。
【００１４】
＜請求項３の発明＞
ストッパが電線を挟んで互いに合体される一対の半割体によって構成されるため、ブラケットに電線挿通後に組み付けることが可能となり、組み付けの作業性が楽になる。
【００１５】
＜請求項４の発明＞
ストッパが段差空間に弾性的に嵌る弾性係止片を有するため、ストッパの構成が複雑になるのが回避される。
【００１６】
＜請求項５の発明＞
ゴム栓が電線の外周面に密着するとともにブラケットの内周面に密着するから、ブラケット内のシールがとられる。
【００１７】
＜請求項６の発明＞
シールリングがブラケットの外周面に密着するとともに取付対象の取付孔の内周面に密着するから、取付対象のシールがとられる。
【図面の簡単な説明】
【００１８】
【図１】本発明の実施形態１に係り、取付対象に取り付けられた状態を示す断面図である。
【図２】電線の端末構造の断面図である。
【図３】電線の端末構造の側面図である。
【図４】取付対象に取り付けられた状態を示す正面側からの斜視図である。
【図５】取付対象に取り付けられた状態を示す背面側からの斜視図である。
【図６】電線の端末構造の分解斜視図である。
【図７】電線の端末構造の分解平面図である。
【図８】ストッパを組み付ける前の状態における電線の端末構造の側面図である。
【図９】電線の端末構造の正面図である。
【図１０】取付部の斜視図である。
【図１１】半割体の平面図である。
【図１２】半割体の背面図である。
【図１３】キャップの正面図である。
【図１４】ゴム栓の断面図である。
【図１５】本発明の実施形態２に係る電線の端末構造の断面図である。
【発明を実施するための形態】
【００１９】
＜実施形態１＞
本発明の実施形態１を図１ないし図１４によって説明する。本実施形態に係る電線の端末構造は、電線１０、端子金具２０、ブラケット３０、シールリング７０、ゴム栓８０、及びキャップ９０を備え、ブラケット３０を介して、インバータ装置等の機器１００（取付対象）に取り付けられる。電線１０及び端子金具２０の周囲は、樹脂モールドされておらず、後付けのブラケット３０で包囲されている。
【００２０】
機器１００は、導電性のシールドケース１０１を有している。図１に示すように、シールドケース１０１の側壁には、円形の取付孔１０２が貫通して形成され、かつ取付孔１０２の上方に、有底の雌ねじ孔１０３が外面に開口して形成されている。シールドケース１０１の内部には、端子金具２０と接続可能な導電部２００が待ち受け状態で収容されている。
【００２１】
電線１０は、導電性の芯線１１と、その周りを覆う絶縁性の被覆１２とからなり、非シールドタイプとされている。電線１０の端部には、図２に示すように、被覆１２の除去によって芯線１１が露出して配置され、この芯線１１の露出部分によって露出部１３が構成されている。かかる電線１０は、図４に示すように、シールド部材３００に挿通される。シールド部材３００は、筒状の編組線３０１と、その内側に配置される幅方向に細長い筒状連結部３０２とを有し、筒状連結部３０２を介して、シールドケース１０１の側壁外面に接続される。
【００２２】
端子金具２０は導電金属製であって、図６に示すように、その略前半部に前後方向に長い平板状の機器接続部２１を有するとともに、その略後半部にオープンバレル状の電線接続部２２を有する形態とされている。機器接続部２１には、前後方向に長い円形のボルト孔２３が開口して形成され、ボルト孔２３を貫通するボルト４００を介して、端子金具２０がシールドケース１０１内の導電部２００に接続される。電線接続部２２には、底板の両側縁から左右一対のかしめ片２４が立ち上げて形成されている。両かしめ片２４が露出部１３に左右両側（幅方向両側）から圧着されることにより、端子金具２０が電線１０にかしめ付けられる。なお、電線接続部２２は、図８に示すように、機器接続部２１との間に段違い状の連結部２５を介することにより、機器接続部２１よりも一段高くされている。
【００２３】
電線１０の端部のうち、電線接続部２２と被覆１２と露出部１３とで囲まれる内側空間は、外向きに開口する環溝状の段差空間１４とされる。また、被覆１２の前端（先端）は、段差空間１４に臨む第１段差１５とされ、電線接続部２２の後端は、第１段差１５と対向して段差空間１４に臨む第２段差１６とされる。
【００２４】
ブラケット３０は合成樹脂製であって、互いに着脱可能な取付部３１及びストッパ５０からなり、取付部３１によって機器１００に固定されるとともに、ストッパ５０によって電線１０に略位置決めして取り付けられる。電線１０への取り付け時には、電線接続部２２の後方にストッパ５０が配置される。
【００２５】
取付部３１は、図１０に示すように、略円筒状の電線保持部３２と、電線保持部３２の外周から立ち上げられた板状の取付本体３３とからなる。取付本体３３の立ち上げ端部には、円形の挿通孔３４が貫通して形成され、挿通孔３４の内部には、その内周面に沿ってカラー３５が装着されている。
【００２６】
ブラケット３０の機器１００への取り付け時には、取付本体３３がシールドケース１０１の側壁外面に後方から当接され、それに伴って挿通孔３４が雌ねじ孔１０３に前後方向に連通され、かつ挿通孔３４から雌ねじ孔１０３にかけてねじ部材５００（図５を参照）がねじ込まれる。
【００２７】
電線保持部３２の内部には、電線貫通孔３６が前後方向（軸方向）に貫通して形成されている。電線貫通孔３６には、電線１０が貫通するとともに、ゴム栓８０が挿入されるようになっている。
【００２８】
電線保持部３２の前端部は、その後方部分よりも一段縮径された段付き部３７とされ、その外周に、シールリング７０の保持溝３８が形成されている。保持溝３８は外方及び前方に開口する形態とされている。シールリング７０は、ゴム製であって円環状をなし、保持溝３８内に嵌着される。
【００２９】
電線保持部３２のうち、取付本体３３よりも前方の部分は、機器１００への取り付け時に、取付孔１０２内に嵌合され、このとき、保持溝３８内のシールリング７０が、取付孔１０２の内周面に略全周に亘って密着するとともに、電線保持部３２の外周面に略全周に亘って密着するようになっている。
【００３０】
また、段付き部３７の内周面には、上下一対の案内溝３９が凹み形成されている。案内溝３９は、前後方向に沿って延びるとともに、段付き部３７の前後両端に開口する形態とされ、ここにストッパ５０のロック部５７（後述する）が前方から進入可能とされている。段付き部３７の後端には、ロック部５７の先端部が係止可能な上下一対のロック受け部４０が、案内溝３９に連続して形成されている。
【００３１】
また、電線保持部３２のうち、取付本体３３よりも後方の部分には、左右一対の係止孔４１が開口して形成されている。係止孔４１は、縦長の円形をなし、その内部に、キャップ９０の係止爪９５（後述する）が嵌合可能とされている。
【００３２】
続いてストッパ５０について説明すると、ストッパ５０は、上下一対の半割体５１によって構成されている。両半割体５１は、互いに同形の断面略半円状をなし、電線１０を間に挟んで上下両方向から合体可能とされている。
【００３３】
半割体５１は、合体時に相手側と前後方向に沿って突き合わされる左右一対の対向縁５２Ａ、５２Ｂを有し、図１１及び図１２に示すように、一方の対向縁５２Ａの外面からは前後一対の弾性片５３が相手側に突出して形成され、かつ他方の対向縁５２Ｂの外面には前後一対の止め部５４が外向きに突出して形成されている。弾性片５３は、板状をなし、その内部に止め孔５５が開口して形成されている。止め部５４は、止め孔５５内に嵌合可能なブロック状の形態をなしている。両半割体５１が合体されると、弾性片５３の止め孔５５内に相手側の止め部５４が嵌合し、両対向縁５２Ａ、５２Ｂで互いに逆向きの係止がなされる（図９を参照）。また、他方の対向縁５２Ｂには、前後方向に沿ってリブ５６が形成され、両半割体５１の合体時には、リブ５６が一方の対向縁５２の内側に配置される。
【００３４】
半割体５１の後端縁の幅方向中央部には、ロック部５７が後方へ突出して形成されている。両半割体５１の合体時には、ロック部５７がストッパ５０の上下両端に対をなして配置される。ロック部５７の先端部には、ロック爪５８が外向きに突出して形成されている。ストッパ５０の取付本体３３への取り付け過程では、ロック爪５８が案内溝３９の溝面を摺動してロック部５７が撓み変形され、取り付け完了時には、ロック部５７が弾性復帰するとともに、ロック爪５８がロック受け部４０を弾性的に係止し、これによってストッパ５０が取付本体３３に保持される。また、半割体５１の後端縁には、ロック部５７を挟んだ幅方向両側に、左右一対の案内片５９が後方へ突出して形成されている。案内片５９は、ロック部５７よりも短寸の板片状をなし、取り付け過程で、段付き部３７の内周面に摺動可能とされている。
【００３５】
また、半割体５１の後端縁の外周には、フランジ６０が外向きに張り出して形成されている。フランジ６０は、両半割体５１の合体時に、ストッパ５０を全周に亘って取り囲む形態とされ、保持溝３８の前端開口を閉じることにより、シールリング７０の脱落を阻止する役割をはたす。
【００３６】
そして、半割体５１の前端縁には、略半円形のストッパ本体６１が内向きに突出して形成されている。ストッパ本体６１は、半割体５１の前端縁に沿って形成され、両半割体５１の合体時には周方向に連続して、電線１０の段差空間１４に外側から嵌合される。この場合、ストッパ本体６１の後縁が第１段差１５と当接することによって電線１０に対するストッパ５０の後退が規制され、ストッパ本体６１の前縁が第２段差１６と当接することによって電線１０に対するストッパ５０の前進が規制される。
【００３７】
また、電線保持部３２の内部には、後方からゴム栓８０が挿入される。ゴム栓８０はシリコンゴム等のゴム製であって、図１４に示すように、全体として前後方向に長い略円筒状をなしている。ゴム栓８０の前端部は、シール本体８１とされ、シール本体８１の内外両面には、複数条のリップ８２が周方向に形成されている。このうち、内側のリップ８２が被覆１２の外周面に密着することで、ゴム栓８０と電線１０との間が液密にシールされ、外側のリップ８２が電線保持部３２の内周面に密着することで、ゴム栓８０とブラケット３０との間が液密にシールされる。ゴム栓８０が電線保持部３２内に正規深さで挿入されると、シール本体８１が前後方向に関して取付本体３３とほぼ同じ位置に配置され、かつシール本体８１の前端面がロック部５７の先端（後端）に当接可能に配置される。
【００３８】
ゴム栓８０におけるシール本体８１よりも後方の部分は、胴部８３とされている。胴部８３は、シール本体８１よりも薄肉であって、その内外両面が前後方向の全長に亘って凹凸なく連続する形態とされている。ゴム栓８０が電線保持部３２内に正規深さで挿入された状態では、胴部８３の略後半部が、ブラケット３０の後端及び後述するキャップ９０の後端よりも後方に配置される。
【００３９】
キャップ９０は合成樹脂製であって、図１３に示すように、略円筒状のキャップ本体９１と、その後端部の外周から張り出す鍔部９２とを有する。キャップ本体９１は、胴部８３に嵌着されるとともに、電線保持部３２内の後端部に挿入され、挿入時に、キャップ本体９１の先端（前端）がシール本体８１の後端に当接することにより、ゴム栓８０のブラケット３０からの抜け止めをなす。キャップ本体９１の後端部の外周面には、位置決め突起９３が形成され、電線保持部３２の後端部の内周面には、位置決め突起９３を受ける位置決め孔４２が形成されている。キャップ本体９１の電線保持部３２内への挿入時に、位置決め突起９３が位置決め孔４２内に嵌合されることにより、ブラケット３０に対するキャップ９０の周方向の位置決めがなされる。
【００４０】
また、キャップ本体９１の幅方向両端部には、左右一対の係止片９４が切り欠いて形成されている。係止片９４は、鍔部９２との連結部位を支点として内外に撓み変形可能とされ、その先端部（前端部）に、係止爪９５が外向きに突出して形成されている。係止爪９５は、係止片９４の撓み動作を伴ったあと電線保持部３２の係止孔４１内に内側から嵌合される。こうして係止爪９５が係止孔４１内に嵌合されることにより、キャップ９０がブラケット３０に保持される。なお、鍔部９２は、キャップ９０のブラケット３０への取り付け時、電線保持部３２の後端縁に対向して配置される。
【００４１】
次に、本実施形態に係る電線１０の端末構造の組み付け方法等について説明する。
まず、露出部１３に電線接続部２２をかしめ接続させ、電線１０の端末部に端子金具２０を取り付ける。次いで、図８から図７にかけて示すように、電線１０を間に挟みつつ上下一対の半割体５１を互いに合体させ、電線１０にストッパ５０を取り付ける。このとき、弾性片５３が止め部５４を弾性的に係止することで、両半割体５１の離脱が規制される（図３を参照）。
【００４２】
一方、電線保持部３２の保持溝３８にシールリング７０を嵌着させ、その状態で、ストッパ５０に後方から電線保持部３２を電線１０に沿ってスライド装着させる。すると、ロック部５７がロック受け部４０を弾性的に係止して、電線保持部３２がストッパ５０に保持されるとともに、シールリング７０がストッパ５０によって前方への離脱を規制された状態で保持溝３８内に保持される。また、電線保持部３２内の後端部に、ゴム栓８０を挿入させるとともに、後方からキャップ９０を嵌着させる。
【００４３】
上記の場合、ストッパ本体６１が段差空間１４に嵌合して第１段差１５及び第２段差１６に当接することにより、ストッパ５０、ひいてはストッパ５０に連結された取付部３１が、電線１０に対して軸方向に変位するのが規制される。したがって、シールドケース１０１への取り付け前に、取付部３１が電線１０に対して軸方向に変位してその取り扱いに難渋するといった事態が回避される。
【００４４】
続いて、シールドケース１０１の内部に、取付孔１０２を介して、後方から端子金具２０を挿入し、かつシールドケース１０１の側壁外面に取付本体３３を当て付ける。その状態で、ねじ部材５００を挿通孔３４から雌ねじ孔１０３にねじ込み、ブラケット３０をシールドケース１０１の側壁に取り付ける（図５を参照）。また、ボルト４００をボルト孔２３から導電部２００にねじ込み、端子金具２０を導電部２００に接続させる（図４を参照）。これにより、電線１０の端末部が機器１００に取り付けられる。
【００４５】
以上説明したように、本実施形態によれば、ストッパ本体６１が段差空間１４に嵌って第１段差１５及び第２段差１６に当接することにより、取付部３１が電線１０に対して軸方向に変位するのが規制されるため、モールド構造が廃止されても、取り扱い性の良好な、電線１０の端末構造が提供される。
【００４６】
また、ストッパ５０が取付部３１に着脱可能に連結されるから、ストッパ５０の成型の自由度が高められる。さらに、ストッパ５０が電線１０を挟んで互いに合体される一対の半割体５１によって構成されるため、ブラケット３０に電線１０を正規位置に挿通させた後、組み付けることが可能となり、組み付けの作業性が楽になる。
【００４７】
さらにまた、ゴム栓８０によってブラケット３０内のシールがとられるとともに、シールリング７０によってシールドケース１０１内のシールがとられるため、所定の防水性が確保される。
【００４８】
＜実施形態２＞
図１５は、本発明の実施形態２を示す。実施形態２では、ブラケット３０Ａの形態が実施形態１とは異なっている。
ブラケット３０Ａは、取付部３１Ａとストッパ５０Ａとが一体に連結された形態とされ、その内部に、前後方向の全長に亘って貫通する電線貫通孔３６Ａが形成されている。ストッパ５０Ａは、全体として略円筒状をなし、実施形態１と違って分離不能とされている。そして、ストッパ５０Ａには、複数の弾性係止片６５が切り欠いて形成されている。弾性係止片６５は、基端部から先端部にかけて前方へ片持ち状に延出する形態とされ、基端部を支点として内外に撓み変形可能とされている。弾性係止片６５の先端部には、ストッパ爪６６が内向き（電線貫通孔３６Ａ側）に突出して形成されている。
【００４９】
電線１０への取り付け過程では、ブラケット３０Ａが電線１０に沿って後方からスライドされる。このとき、ストッパ爪６６が電線１０の被覆１２に摺接することで、弾性係止片６５が撓み変形される。ブラケット３０Ａが正規に取り付けられると、弾性係止片６５が弾性復帰するとともに、ストッパ爪６６が段差空間１４に外側から嵌る。こうしてストッパ爪６６が第１段差１５及び第２段差１６に当接することにより、ブラケット３０Ａが電線１０に対して軸方向に変位するのが規制される。実施形態２によれば、実施形態１における、ロック部５７、ロック受け部４０、及び半割構造等が省略されるため、ブラケット３０Ａの構成が簡素化される。
【００５０】
＜他の実施形態＞
本発明は上記記述及び図面によって説明した実施形態に限定されるものではなく、例えば次のような実施形態も本発明の技術的範囲に含まれる。
（１）電線は、芯線と、芯線の外周を覆う絶縁層と、絶縁層の外周を包囲する編組線と、この編組線の外周を覆うシース（被覆）とからなるシールド電線であってもよい。
（２）実施形態１では、両半割体が相互に非同一の形状であってもよい。
（３）実施形態１では、両半割体と取付部とがヒンジを介して一体に連結されるものであってもよい。
（４）実施形態２においても、実施形態１と同様、ストッパが取付部に着脱可能に連結されるものであってもよい。
【符号の説明】
【００５１】
１０…電線
１２…被覆
１３…露出部
１４…段差空間
１５…第１段差
１６…第２段差
２０…端子金具
２２…電線接続部
３０、３０Ａ…ブラケット
３１、３１Ａ…取付部
５０、５０Ａ…ストッパ
５１…半割体
６１…ストッパ本体
６５…弾性係止片
７０…シールリング
８０…ゴム栓
９０…キャップ
１００…機器（取付対象）
１０２…取付孔
【図１】
0005440437.tif 000002
【図２】
0005440437.tif 000003
【図３】
0005440437.tif 000004
【図４】
0005440437.tif 000005
【図５】
0005440437.tif 000006
【図６】
0005440437.tif 000007
【図７】
0005440437.tif 000008
【図８】
0005440437.tif 000009
【図９】
0005440437.tif 000010
【図１０】
0005440437.tif 000011
【図１１】
0005440437.tif 000012
【図１２】
0005440437.tif 000013
【図１３】
0005440437.tif 000014
【図１４】
0005440437.tif 000015
【図１５】
0005440437.tif 000016